(57)【要約】【課題】簡素な手段で局所的なスケールの析出を抑制するとともに、熱交換効率の高い熱交換器を提供すること。【解決手段】内管１と、内管１に挿入される挿入体２と、内管１の外周に設けられ、第２流体が流れる少なくとも１本以上の外管３と、を備え、挿入体２は、軸部２１とその軸部２１の外表面に形成された突部２２とから形成され、第１流体は、少なくとも内管１の内面と突部２２とで形成される螺旋状流路２３を流れるとともに、螺旋状流路２３には、第１流体の流れ方向の所定間隔毎に、流路面積を小さくする肉厚突部２２ｂが設けられている熱交換器。【選択図】図３
2020197311.tif 000002
【特許請求の範囲】
【請求項１】
内管と、
前記内管に挿入される挿入体と、
前記内管の外周に設けられ、第２流体が流れる少なくとも１本以上の外管と、
を備え、
前記挿入体は、軸部とその軸部の外表面に形成された突部とから形成され、
第１流体は、少なくとも前記内管の内面と前記突部とで形成される螺旋状流路を流れるとともに、
前記螺旋状流路には、第１流体の流れ方向の所定間隔毎に、流路面積を小さくする肉厚突部が設けられていることを特徴とする熱交換器。
【請求項２】
前記肉厚突部は、周方向の所定間隔毎に、前記突部の軸方向の厚みを、他の部位よりも厚くすることで形成されていることを特徴とする請求項１に記載の熱交換器。
【請求項３】
複数の前記肉厚突部の周方向の長さの中心部を結ぶラインは、前記挿入体の軸方向の中心線と並行であることを特徴とする請求項１または２に記載の熱交換器。
【請求項４】
前記肉厚突部は、高さ方向において先端部よりも根元部の方が、軸方向の厚みが厚いことを特徴とする請求項１〜３のいずれか１項に記載の熱交換器。
【請求項５】
前記肉厚突部は、根元部の周方向の長さの中心部が、軸方向の厚みが最も厚いことを特徴とする請求項１〜４のいずれか１項に記載の熱交換器。
【請求項６】
前記内管は、内面溝付き管であることを特徴とする請求項１〜５のいずれか１項に記載の熱交換器。
【請求項７】
圧縮機、請求項１〜６のいずれか１項に記載の熱交換器、減圧装置、蒸発器を環状に接続して形成した冷凍サイクル装置。
【発明の詳細な説明】
【技術分野】
【０００１】
本発明は、低温流体と高温流体とが熱交換する熱交換器に関するものである。
【背景技術】
【０００２】
従来、この種の熱交換器は、水を冷媒により加熱し、高温水を生成する場合が多い。なお、水が高温になると水に溶存している気体（酸素、窒素など）の溶解度が低下し、気泡として水中に析出することが知られている。
【０００３】
そして、この析出した気泡が伝熱面に付着すると、水と冷媒との熱交換を阻害するため、熱交換器の熱交換効率が低下してしまう。
【０００４】
また、気泡が伝熱面に付着した場合、気泡と伝熱面との界面には、イオン濃縮が発生するマイクロ層が形成され、気泡が付着していない面に比べて、スケールの起点となるスケール核が局所的に多く析出する。
【０００５】
このようにして析出されたスケールは、せん断応力を印加することによって除去することができる。
【０００６】
そこで、スケールの成長を抑制するように、予め設定された圧力を付与した２次側被加熱液体を予め設定されたタイミングで、熱交換器に流入させることにより、熱交換器における２次側被加熱液体との接触面に析出したスケールを除去可能なせん断応力を与えるようにしている（例えば、特許文献１参照）。
【先行技術文献】
【特許文献】
【０００７】
【特許文献１】国際公開第２０１７／１５８９３８号
【発明の概要】
【発明が解決しようとする課題】
【０００８】
しかしながら、前記従来の構成では、圧力センサ、電磁弁等の部品が必要であり、流路構成が複雑になり、また、コストがアップしてしまうという課題を有していた。
【０００９】
本発明は、上記従来の課題を解決するもので、簡素な手段で局所的なスケールの析出を抑制するとともに、熱交換効率の高い熱交換器を提供することを目的とする。
【課題を解決するための手段】
【００１０】
前記従来の課題を解決するために、本発明の熱交換器は、内管と、前記内管に挿入される挿入体と、前記内管の外周に設けられ、第２流体が流れる少なくとも１本以上の外管と、を備え、前記挿入体は、軸部とその軸部の外表面に形成された突部とから形成され、第１流体は、少なくとも前記内管の内面と前記突部とで形成される螺旋状流路を流れるとともに、前記螺旋状流路には、第１流体の流れ方向の所定間隔毎に、流路面積を小さくする肉厚突部が設けられていることを特徴とするものである。
【００１１】
これにより、螺旋状流路において、所定間隔毎に第１流体の流速、および、第１流体のせん断応力を大きくできるので、螺旋状流路の壁面に、析出、付着した気泡を押し流し易くできる。
【００１２】
加えて、螺旋状流路を流れる第１流体には、遠心力が作用するので、第１流体よりも密度の小さい気泡は、相対的に軸部側に押し流されることで、内管の内面（伝熱面）への再付着を抑制できる。
【００１３】
このため、内管の内面（伝熱面）への気泡付着による局所的なスケールの析出を抑制できるとともに、スケールによる熱交換の阻害も防止できる
また、螺旋状流路において、所定間隔毎に第１流体の流速を大きくでき、遠心力による攪拌効果も向上できるので、第１流体の流れを乱流化でき、熱交換器の熱交換効率も向上できる。
【発明の効果】
【００１４】
本発明によれば、簡素な手段で局所的なスケールの析出を抑制するとともに、熱交換効率の高い熱交換器を提供できる。
【図面の簡単な説明】
【００１５】
【図１】本発明の実施の形態１における熱交換器を用いた冷凍サイクル装置の回路図
【図２】本発明の実施の形態１における熱交換器の斜視図
【図３】（ａ）本発明の実施の形態１における熱交換器のＡ面断面図（ｂ）同熱交換器のＢ面断面図
【図４】（ａ）本発明の実施の形態１における熱交換器のＡ面断面図での第１流体の流速分布の概念図（ｂ）同熱交換器のＢ面断面図での第１流体の流速分布の概念図
【図５】（ａ）本発明の実施の形態１における内管が溝付き管である内面に付着した気泡の概念図（ｂ）内管が平滑管である内面に付着した気泡の概念図
【発明を実施するための形態】
【００１６】
第１の発明は、内管と、前記内管に挿入される挿入体と、前記内管の外周に設けられ、第２流体が流れる少なくとも１本以上の外管と、を備え、前記挿入体は、軸部とその軸部の外表面に形成された突部とから形成され、第１流体は、少なくとも前記内管の内面と前記突部とで形成される螺旋状流路を流れるとともに、前記螺旋状流路には、第１流体の流れ方向の所定間隔毎に、流路面積を小さくする肉厚突部が設けられていることを特徴とする熱交換器である。
【００１７】
これにより、螺旋状流路において、所定間隔毎に、第１流体の流速、および、第１流体のせん断応力を大きくできるので、螺旋状流路の壁面に、析出、付着した気泡を押し流し易くできる。
【００１８】
加えて、螺旋状流路を流れる第１流体には、遠心力が作用するので、第１流体よりも密度の小さい気泡は、相対的に軸部側に押し流されることで、内管の内面（伝熱面）への再付着を抑制できる。
【００１９】
このため、内管の内面（伝熱面）への気泡付着による局所的なスケールの析出を抑制できるとともに、スケールによる熱交換の阻害も防止できる
また、螺旋状流路において、所定間隔毎に第１流体の流速を大きくでき、遠心力による攪拌効果も向上できるので、第１流体の流れを乱流化でき、熱交換器の熱交換効率も向上できる。
【００２０】
第２の発明は、特に、第１の発明において、前記肉厚突部は、周方向の所定間隔毎に、前記突部の軸方向の厚みを、他の部位よりも厚くすることで形成されていることを特徴とするものである。
【００２１】
これにより、簡素な手段で、螺旋状流路において、所定間隔毎に、第１流体の流速、および、第１流体のせん断応力を大きくできるので、螺旋状流路の壁面に、析出、付着した気泡を押し流し易くできる。
【００２２】
第３の発明は、特に、第１または第２の発明において、複数の前記肉厚突部の周方向の長さの中心部を結ぶラインは、前記挿入体の軸方向の中心線と並行であることを特徴とするものである。
【００２３】
これにより、螺旋状流路に設けられている肉厚突部は、軸方向にて対向することになるため、螺旋状流路において、流路面積を特に小さくすることができる。
【００２４】
これにより、螺旋状流路において、所定間隔毎に、第１流体の流速、および、第１流体のせん断応力を大きくできるので、螺旋状流路の壁面に、析出、付着した気泡を押し流し易くできる。
【００２５】
第４の発明は、特に、第１〜第３のいずれかの発明において、前記肉厚突部は、高さ方向において先端部よりも根元部の方が、軸方向の厚みが厚いことを特徴とするものである。
【００２６】
これにより、第１流体側の伝熱面積、すなわち、内管と第１流体との伝熱面積を減少させることなく、所定間隔毎に第１流体の流速を大きくできるので、熱交換器の性能を維持しつつ、局所的なスケール成長を抑制できる。
【００２７】
第５の発明は、特に、第１〜第４のいずれかの発明において、前記肉厚突部は、根元部の周方向の長さの中心部が、軸方向の厚みが最も厚いことを特徴とするものである。
【００２８】
これにより、螺旋状流路において、所定間隔毎に、第１流体の流速、および、第１流体のせん断応力を大きくできるので、螺旋状流路の壁面に、析出、付着した気泡を押し流し易くできる。
【００２９】
それとともに、できるだけ第１流体の流速の急激な変化を抑えることで、流動音の上昇を極力抑えることができる。
【００３０】
第６の発明は、特に、第１〜第５のいずれかの発明において、前記内管が、内面溝付き管であることを特徴とするものである。
【００３１】
これにより、内管が内面溝付き管であるため、内管の管壁と、析出、付着する気泡との接触面積が、平滑管の場合と比べて減少し、内管の内面に付着した気泡は、管壁からより離脱しやすくなるので、内管の管壁に付着した気泡をより押し流し易くでき、局所的なスケールの成長を抑制できる。
【００３２】
加えて、内管の内表面積が平滑管に比べて増大するため、第１流体側の伝熱面積、すなわち、内管の内面と第１流体との伝熱面積が増加するとともに、螺旋状に流れる第１流体である水の流れを、内面溝によってさらに乱流化できるため、熱交換器の性能をより向上できる。
【００３３】
第７の発明は、圧縮機、第１〜第６のいずれかの発明の熱交換器、減圧装置、蒸発器を環状に接続して形成した冷凍サイクル装置である。
【００３４】
これにより、簡素な手段で局所的なスケールの析出を抑制するとともに、高い熱交換効
率を実現できる熱交換器を搭載した冷凍サイクル装置を提供できる。
【００３５】
以下、本発明の実施の形態について、図面を参照しながら説明する。なお、この実施の形態によってこの発明が限定されるものではない。
【００３６】
（実施の形態１）
図１は、本発明の実施の形態１における熱交換器を用いた冷凍サイクル装置の回路図である。
【００３７】
第２流体である冷媒を圧縮する圧縮機３１、圧縮機３１で圧縮された高温の第２流体である冷媒が放熱し、低温の第１流体である水を加熱する熱交換器３２、圧縮機３１で圧縮された高圧の第２流体である冷媒を低圧まで減圧する減圧装置３３、送風装置３５が発生させる空気流より吸熱する蒸発器３４を環状に接続して冷凍サイクル装置３６は形成されている。
【００３８】
そして、熱交換器３２において、第１流体である水と第２流体である冷媒とは対向に流れて熱交換している。なお、熱交換器３２には、第１流体である低温の水が、搬送装置３７により熱交換器３２に搬送され、第２流体である冷媒により加熱され湯となり、給湯や暖房や貯湯される温水回路３８が接続されている。
【００３９】
図２は、本発明の実施の形態１における熱交換器の斜視図である。
【００４０】
図２において、熱交換器は、内部を第１流体である水が流れる内管１と、内管１の内部に挿入された挿入体２と、内部を第２流体である冷媒（二酸化炭素冷媒）が流れ、かつ、内管１の外周に密着する少なくとも１本以上の外管３とから構成されている。
【００４１】
そして、外管３は内管１の外周に所定のピッチで、螺旋状に巻き付けられている。
【００４２】
挿入体２は、円筒状の軸部２１と軸部２１の外周に螺旋状に設けられた突部２２からなる。第１流体である水は、内管１の内面と軸部２１の外面と隣接する突部２２とで形成された略矩形断面なる螺旋状流路２３を流れる。
【００４３】
図３（ａ）は、本実施の形態１における熱交換器のＡ面断面図である。Ａ面断面における挿入体の突部２２は、標準肉厚で形成されている標準突部２２ａである。
【００４４】
図３（ｂ）は、本実施の形態１における熱交換器のＢ面断面図である。Ｂ面断面における挿入体２の突部２２は、標準突部２２ａよりも、軸方向の厚みが厚い肉厚突部２２ｂである。
【００４５】
肉厚突部２２ｂは、周方向の所定間隔毎に、標準突部２２ａよりも軸方向の厚みを厚くして形成されている
また、複数の肉厚突部２２ｂの周方向の長さの中心部を結ぶラインは、挿入体２の円筒状の軸部２１の軸方向の中心線と並行である。
【００４６】
このため、螺旋状流路２３に設けられている肉厚突部２２ｂは、軸方向にて対向することになるため、螺旋状流路２３は、第１流体である水の流れ方向の所定間隔毎に、流路面積を小さくする構成となっている。
【００４７】
なお、肉厚突部２２ｂは、高さ方向において先端部から根元部にかけて、軸方向の厚みが徐々に厚くなっており、さらに、根元部の周方向の長さの中心部が、軸方向の厚みが最
も厚い形状である。
【００４８】
なお、本発明の実施の形態１においては、肉厚突部２２ｂが、周方向に形成されている所定間隔は、挿入体２の円筒状の軸部２１の軸心を中心に１８０°である。
【００４９】
すなわち、螺旋状流路２３を流れる第１流体である水は、半周毎に肉厚突部２２ｂと衝突することになっている。
【００５０】
これは、挿入体２が樹脂材料から形成されている場合、肉厚突部２２ｂは、根元部の周方向の長さの中心部が、軸方向の厚みが最も厚い形状であるため、複数の肉厚突部２２ｂの根元部の周方向の長さの中心部を結ぶ２ラインを、金型の分割面（ＰＬ）として、挿入体２を製造できるからである。
【００５１】
ここで、固体表面に液体が付着する性質は「濡れ性」と呼ばれるが、第１流体である水が流れる螺旋状流路２３の流路断面を形成する内管１の内面の長さを、伝熱面濡れ長さと定義する。
【００５２】
このとき、肉厚突部２２ｂの伝熱面の濡れ長さＬｂは、標準突部２２ａの伝熱面濡れ長さＬａと同程度確保されていて、内管１は、内面に微細な溝加工が施された内面溝付き管である。
【００５３】
以上のように構成された熱交換器３２をについて、ＣＯ２ヒートポンプ給湯機に搭載した場合について、以下にその動作、作用を説明する。
【００５４】
熱交換器は、外管３の内部を流れる内部を第２流体である高温の二酸化炭素と、内管１と挿入体２の間に形成された螺旋状流路２３を流れる第１流体である低温の水とを対向に流して熱交換して、高温湯を生成する。
【００５５】
螺旋状流路２３を流れる第１流体には遠心力が作用するため、曲がり管と同様に流れ方向と直行する面に二次流れが発生する。
【００５６】
これにより、第１流体である水の流れがより乱流化され、流れ方向と直行する面の第１流体である水の温度分布が改善されるため、ＣＯ２ヒートポンプ給湯機のように水の流速が遅い場合でも、熱交換器３２の熱交換効率を向上できる。
【００５７】
前述の通り、第２流体である冷媒として二酸化炭素を用いたＣＯ２ヒートポンプ式給湯機は水の加熱温度を高くできる。
【００５８】
その一方、第１流体である水の温度が高くなる熱交換器３２の出口側では、溶存している気体（酸素、窒素など）の溶解度が低下するため、気泡として螺旋状流路２３の壁面に析出し、局所的にスケールの析出や、熱交換を阻害することが懸念される。
【００５９】
本発明の実施の形態１では、図３（ａ）、図３（ｂ）に示すように、挿入体２の突部２２は、所定間隔毎に軸方向の厚みが厚い肉厚突部２２ｂを有している。
【００６０】
このため、第１流体である水が流れる螺旋状流路２３は、図３（ａ）においては、内管１の内面と、軸部２１の外面と、標準突部２２ａの外面とで形成されている。
【００６１】
また、図３（ｂ）においては、内管１の内面と、肉厚突部２２ｂの外面とで形成されている。
【００６２】
このように、突部２２の軸方向の厚みが、標準突部２２ａより肉厚突部２２ｂの方が厚いので、第１流体である水の流れる流路断面積も肉厚突部２２ｂを通過する場合の方が小さくなる。
【００６３】
したがって、螺旋状流路２３には、第１流体である水流れ方向の所定間隔毎に、肉厚突部２２ｂが設けられていて、内管１の内面側ではなく、軸部２１の外面側の流路幅を狭まることで、流路断面積を小さくする構成としている。
【００６４】
すなわち、図３（ａ）に示すように、第１流体である水が流れる螺旋状流路２３が、内管１の内面と、軸部２１の外面と、標準突部２２ａの外面とで形成されている、すなわち、Ａ断面に形成される流路断面積をＳ１とする。
【００６５】
一方、図３（ｂ）に示すように、第１流体である水が流れる螺旋状流路２３が、内管１の内面と、肉厚突部２２ｂの外面とで形成されている、すなわち、Ｂ断面に形成される流路断面積をＳ２とする。
【００６６】
このとき、流路断面積Ｓ１と、流路断面積Ｓ２の関係は、Ｓ１＞Ｓ２となる。
【００６７】
また、肉厚突部２２ｂは、高さ方向において先端部から根元部にかけて、軸方向の厚みが徐々に厚くなっており、さらに、根元部の周方向の長さの中心部が、軸方向の厚みが最も厚い形状である。
【００６８】
一方、肉厚突部２２ｂの伝熱面の濡れ長さＬｂは、標準突部２２ａの伝熱面濡れ長さＬａと同程度確保されている。
【００６９】
これにより、第１流体である水が流れる螺旋状流路２３の流路断面を形成する内管１の内面の長さを変えないで、流路断面積を変化させることができる。
【００７０】
したがって、第１流体である水と内管１の内面との伝熱面積を同一とし、螺旋状流路２３が肉厚突部２２ｂで形成されている場合の方が、螺旋状流路２３が標準突部２２ａで形成されている場合よりも、流路断面積を小さくすることで、第１流体である水の流速を大きくできる。
【００７１】
図４（ａ）は、本発明の実施の形態１における熱交換器のＡ面断面図での第１流体の流速分布の概念図である。Ａ面断面における挿入体の突部２２は、標準肉厚で形成されている標準突部２２ａである。
【００７２】
図４（ｂ）は、本発明の実施の形態１における熱交換器のＢ面断面図での第１流体の流速分布の概念図である。Ｂ面断面における挿入体２の突部２２は、標準突部２２ａよりも、軸方向の厚みが厚い肉厚突部２２ｂである。
【００７３】
図４（ａ）、図４（ｂ）に示すように、第１流体である水の流速は、螺旋状流路２３が肉厚突部２２ｂで形成されている場合の流速Ｕｂの方が、螺旋状流路２３が標準突部２２ａで形成されている場合の流速Ｕａよりも大きいので、螺旋状流路２３の壁面近傍の速度勾配は、螺旋状流路２３が肉厚突部２２ｂで形成されている場合の方が大きくなる。
【００７４】
【数１】
2020197311.tif 000003
数１において、τは粘性流体のせん断応力、μは粘性係数、ｄｕ／ｄｚは流れと垂直な方向の速度勾配を示す。
【００７５】
ここで、数１に示すように、粘性流体のせん断応力τは、流れに垂直な方向の速度勾配に比例する。
【００７６】
このため、螺旋状流路２３の壁面近傍の速度勾配が、螺旋状流路２３が肉厚突部２２ｂで形成されている場合の方が大きいことから、螺旋状流路２３を流れる第１流体である水のせん断応力も、螺旋状流路２３が標準突部２２ａで形成されている場合よりも、螺旋状流路２３が肉厚突部２２ｂで形成されている場合の方が大きくなることがわかる。
【００７７】
したがって、螺旋状流路２３が肉厚突部２２ｂで形成されている場合には、螺旋状流路２３の壁面に気泡が析出、付着しても、より大きなせん断応力が気泡に作用するため、気泡を壁面から押し流すことができる。
【００７８】
これにより、気泡を起点としたスケールの局所的な成長を抑制できるうえ、気泡による伝熱阻害も防止することができる。
【００７９】
また、螺旋状流路２３を流れる第１流体には遠心力が作用するので、螺旋状流路２３の壁面から押し流された第１流体である水よりも密度の小さい気泡は、相対的に軸部２１側に押し流されるため、内管１の内面（伝熱面）への気泡の再付着も抑制できる。
【００８０】
すなわち、本発明の実施の形態１の熱交換器においては、図３（ａ）、図３（ｂ）に示すように、標準突部２２ａよりも軸方向の厚みを厚く形成されている肉厚突部２２ｂが、周方向に形成されている所定間隔は、挿入体２の円筒状の軸部２１の軸心を中心に１８０°である。
【００８１】
そして、複数の肉厚突部２２ｂの周方向の長さの中心部を結ぶラインは、挿入体２の円筒状の軸部２１の軸方向の中心線と並行である。
【００８２】
このため、螺旋状流路２３に設けられている肉厚突部２２ｂは、軸方向にて対向することになるため、螺旋状流路２３は、半周毎に流路面積を小さくする構成となっている。
【００８３】
これにより、螺旋状流路２３を流れる第１流体である水は、少なくとも半周毎に流速が大きくなり、せん断応力も大きくなる。
【００８４】
したがって、より確実に気泡を押し流すことができるとともに、内管１の内面（伝熱面）への気泡の再付着をより防止できるので、局所的なスケールの成長と、熱交換の阻害を確実に抑制できる。
【００８５】
図５（ａ）は、本発明の実施の形態１における内管が溝付き管である内面に付着した気泡の概念図である。
【００８６】
また、図５（ｂ）は、図５（ａ）と比較するための、内管が平滑管である内面に付着した気泡の概念図である。
【００８７】
本発明の実施の形態１では、内管１を、内面に微細な溝付き加工が施された内面溝付き管としている。
【００８８】
図５（ａ）、図５（ｂ）にしめすように、内管１が内面溝付き管である場合の、伝熱面に付着した気泡と伝熱面の接触面積は、内管１が平滑管である場合の、伝熱面に付着した気泡と伝熱面との接触面積よりも小さい。
【００８９】
これにより、内管１が内面溝付き管であるため、内管１の管壁と、析出、付着する気泡との接触面積が、平滑管の場合と比べて減少し、内管１の内面に付着した気泡は、管壁からより離脱しやすくなるので、内管１の管壁に付着した気泡をより押し流し易くでき、局所的なスケールの成長を抑制できる。
【００９０】
加えて、内管１の内表面積が平滑管に比べて増大するため、第１流体側の伝熱面積、すなわち、内管１の内面と第１流体との伝熱面積が増加するとともに、螺旋状に流れる第１流体である水の流れを、内面溝によってさらに乱流化できるため、熱交換器の性能をより向上できる。
【００９１】
なお、本実施の形態においては、外管３の内部を流れる内部を第２流体である冷媒として、二酸化炭素としたが、ハイドロカーボン系やＨＦＣ系（Ｒ４１０Ａ、Ｒ３２等）の冷媒、あるいは、これらの代替冷媒でも良い。
【００９２】
また、本実施の形態においては、肉厚突部２２ｂが、周方向に形成されている所定間隔として、挿入体２の円筒状の軸部２１の軸心を中心に１８０°としたが、その他の数値でも同様の効果は得られる。
【産業上の利用可能性】
【００９３】
以上のように、本発明にかかる熱交換器は、簡素な手段で局所的なスケールの析出を抑制するとともに、高い熱交換効率を実現できるので、空調機器や給湯機器等に適用できる。
【符号の説明】
【００９４】
１      内管
２      挿入体
３      外管
２１    軸部
２２    突部
２２ａ  標準突部
２２ｂ  肉厚突部
２３  螺旋状流路
３１  圧縮機
３２  熱交換器（放熱器）
３３  減圧装置
３４  蒸発器
３６  冷凍サイクル装置
【図１】
2020197311.tif 000004
【図２】
2020197311.tif 000005
【図３】
2020197311.tif 000006
【図４】
2020197311.tif 000007
【図５】
2020197311.tif 000008